(57)【要約】【課題】取付部材を設ける際のコストを抑えると共に手間を省き、またマウントアングルの移動可能範囲を広く確保する。【解決手段】収納ボックスの基台に、上下方向に伸びるように等幅帯状に形成された第２取付レール部２０を２本配設する。各第２取付レール部２０に、第１取付レール部１５の両端部を取り付けるレール取付孔２１を同一ピッチＴ２で上下方向に複数個連設する。第２取付レール部２０，２０間に、左右方向に長尺に形成された第１取付レール部１５，１５を所要間隔をおいて２本架設する。各第１取付レール部１５を、棒体部１４と、その棒体部１４の両端に設けた長方形状の取付小板１７とから構成する。各棒体部１４に、マウントアングル１の両端部を取り付けるアングル取付孔１６を同一ピッチＴ１で左右方向に複数個連設する。第１取付レール部１５，１５間に、マウントアングル１を架設する。【選択図】　図２
2004036734.tif 000002
【特許請求の範囲】
【請求項１】
電気電子機器を支持するマウントアングルを収納ボックス内に取り付けるマウントアングルの取付構造であって、
マウントアングルを取り付けるためのアングル取付孔が一方向に連設されてなる第１取付レール部と、
前記収納ボックス側に設けられ、該第１取付レール部を取り付けるためのレール取付孔が前記アングル取付孔の連設方向に対して直交する方向に連設されてなる第２取付レール部とからなる
マウントアングルの取付構造。
【請求項２】
アングル取付孔とレール取付孔との内、少なくとも一方の孔形状が、夫々の連設方向に伸びた長円形状に形成されてなる
請求項１に記載のマウントアングルの取付構造。
【発明の詳細な説明】
【０００１】
【発明の属する技術分野】
本発明は、電子機器、通信機器やスプライスユニット等の電気電子機器を支持するマウントアングルを、収納ボックス内に取り付けるマウントアングルの取付構造に関する。
【０００２】
【従来の技術】
通常、電気電子機器等を収納ボックス内に収納する場合、電気電子機器等は、マウントアングルによって支持され、そのマウントアングルの取付位置や取付向きを調整することによって収納ボックス内の所要位置に収納される。マウントアングルは、収納位置の調整部材としてはもちろんのこと、一定の規格に基づく寸法形状で構成された収納ボックスに、他の規格に基づく寸法形状で構成された電気電子機器等を収納する際の仲介部材等としても広く使用されている。多種の寸法形状に構成された電気電子機器等を収納ボックス内の所要位置に収納するため、マウントアングルは収納ボックス内を移動可能に取り付けられている。
【０００３】
従来、収納ボックス内を移動可能に取り付けられるマウントアングルの取付構造としては、図４に示すように、スタッドボルト等の取付部材１２０を収納ボックス１１２内に溶接やかしめ等の固着手段によって基台１１１背面の移動予定位置に複数個設け、その取付部材１２０にマウントアングル１０１をネジ１１９で取り付けるもの（従来例１）や、また、図５に示すように、マウントアングル１０１自体に取付孔１０２を複数個設け、収納ボックス１１２の基台１１１背面に設けたスタッドボルト等の取付部材１２０にネジ１１９で取り付けるもの（従来例２）が知られている。
【０００４】
【発明が解決しようとする課題】
しかし、従来例１の取付構造では、移動予定位置の数に応じて取付部材１２０が必要となり、夫々に溶接等の固着手段を実施しなければならず、部品コストと製造工程が煩雑になる問題点があった。また、従来例２の取付構造では、マウントアングル１０１に設ける取付孔１０２の設置スペースが限られるため、取付孔１０２の設置位置や設置数が制限され、マウントアングル１０１の移動可能範囲が狭くなる問題点があった。
【０００５】
こうした問題に鑑み、本発明は、取付部材を設ける際のコストを抑えると共に手間を省き、また、マウントアングルの移動可能範囲を広く確保できるマウントアングルの取付構造の実現を課題とする。
【０００６】
【課題を解決するための手段】
上記の課題を解決するために、請求項１に記載の発明は、電気電子機器を支持するマウントアングルを収納ボックス内に取り付けるマウントアングルの取付構造であって、マウントアングルを取り付けるためのアングル取付孔が一方向に連設されてなる第１取付レール部と、第１取付レール部を取り付けるためのレール取付孔がアングル取付孔の連設方向に対して直交する方向に連設されてなる第２取付レール部とから構成される。
【０００７】
また、請求項２に記載の発明は、アングル取付孔とレール取付孔との内、少なくとも一方の孔形状が、夫々の連設方向に伸びた長円形状に形成されるように構成される。
【０００８】
【発明の実施の形態】
以下に、本発明の実施の形態を図面に基づいて説明する。図１及び図２は本発明に係るマウントアングルの取付構造の第１実施形態を示すものである。図１は、収納ボックスの内部構造を示す斜視図である。図２は、マウントアングルの取付構造を示す分解斜視図である。収納ボックス１２には、例えばハブ、ルータやブリッジ等のＬＡＮシステム機器やその他の電気電子機器等（以下、単に「電子機器」とする）が収納される。電子機器１０は、マウントアングル１によって支持されている。
【０００９】
収納ボックス１２は、例えばＥＩＡで規格化されている１９インチラックに対応する寸法形状で形成されている。収納ボックス１２の基台１１には、その背面の左右側辺部を内側に折り曲げることによって上下方向に伸びるように等幅帯状に折り曲げ形成された第２取付レール部２０，２０が平行に２本配設されている。夫々の第２取付レール部２０には、第１取付レール部１５の両端部を取り付けるレール取付孔２１が同一ピッチＴ２で上下方向に複数個連設されている。各レール取付孔２１の内周面には雌ネジが刻設されている。
【００１０】
第２取付レール部２０，２０間には、左右方向に長尺に形成された第１取付レール部１５，１５が所要間隔をおいて平行に２本架設されている。夫々の第１取付レール部１５は、断面略コ字形の棒体部１４と、その棒体部１４の両端に設けられた長方形状の取付小板１７とから構成されている。夫々の棒体部１４には、マウントアングル１の両端部を取り付けるアングル取付孔１６が同一ピッチＴ１で左右方向に複数個連設されている。各アングル取付孔１６の内周面には雌ネジが刻設されている。取付小板１７には、第２取付レール部２０に連設されたレール取付孔２１のうち何れかの隣接する２つのレール取付孔２１に一致する間隔で穿設された２つの取付孔１８が設けられている。
【００１１】
第１取付レール部１５，１５間には、マウントアングル１が架設されている。マウントアングル１は、長方形の背面板と、背面板の両短辺部から電子機器１０の両側面を挟み込むように立設された側面板とから構成されている。マウントアングル１の背面板には、その４隅角部に取付片部３が夫々突設されている。夫々の取付片部３には、マウントアングル１を第１取付レール部１５のアングル取付孔１６に取り付けるための取付孔２が一つずつ穿設されている。これらの取付孔２の間隔は、横間隔が第１取付レール部１５のピッチＴ１の整数倍に、縦間隔が第２取付レール部２０のピッチＴ２の整数倍に等しくなっている。
【００１２】
上記構成のマウントアングル１の取付構造において、第１取付レール部１５は、両端に設けられた取付小板１７を第２取付レール部２０の帯表面に接触させ、取付孔１８に通したネジ１９をレール取付孔２１に螺合させることによって第２取付レール部２０に取り付けられる。また、マウントアングル１は、その取付片部３に設けた取付孔２にネジ１９を通し、第１取付レール部１５のアングル取付孔１６に螺合させることによって第１取付レール部１５に取り付けられる。
【００１３】
マウントアングル１は、第１取付レール部１５を取り付ける第２取付レール部２０のレール取付孔２１の位置を変更することによって、第１取付レール部１５と共に上下方向に移動する。この移動の際、第１取付レール部１５の両端に設けられた取付小板１７の板面は、夫々第２取付レール部２０の帯表面を摺動する。またマウントアングル１は、マウントアングル１を取り付ける第１取付レール部１５のアングル取付孔１６の位置を変更することよって左右方向に移動する。この上下左右方向の移動によってマウントアングル１の取付位置を調整し、夫々の取付小板１７及び取付片部３をネジ１９で固定して、電子機器１０を収納ボックス１２内の所要位置に収納する。
【００１４】
このマウントアングル１の取付構造によれば、マウントアングル１を取り付けるアングル取付孔１６を左右方向に複数連設した第１取付レール部１５と、第１取付レール部１５を取り付けるレール取付孔２１を上下方向に複数連設した第２取付レール部２０とから構成したので、上下左右方向にマウントアングル１を移動させて電子機器１０を収納ボックス１２内の所要位置に収納することができる。加えて、スタッドボルト等の別体の取付部品が不要となり、溶接等の煩雑な固着手段を実施する必要がなくなる。よって、部品点数を減らして部品コストを抑えると共に固着手段の手間を省いて製造工程を簡素化することができる。特にアングル取付孔１６及びレール取付部２１を第１取付レール部１５及び第２取付レール部２０に夫々複数連設したので、マウントアングル１の移動可能範囲を収納ボックス１２内全域に広げることが可能となる。
【００１５】
さらに、マウントアングル１を第１取付レール部１５に取り付けるネジ１９を外すことによって、マウントアングル１を左右方向の一方向のみに移動可能とすることが容易にでき、例えば、前面の飛び出した電子機器１０の収納位置調整が簡単になる。同様に、第１取付レール部１５を第２取付レール部２０に取り付けるネジ１９を外すことによって、マウントアングル１を上下方向の一方向のみに移動可能とすることが容易にでき、例えば、上下位置から引き回しされた電子機器１０の入出線の配線処理にすぐに対応できる。また、収納ボックス１２の基台１１に設けられた第２取付レール部２０は、収納ボックス１２の製作の際、折り曲げ形成によって基台１１と一体化することができる。よって、余分な取付部品を排除して収納ボックス１２の軽量化が可能になると共に、収納ボックス１２が配置される例えば壁面等への加重負担を軽減することが可能となる。また、この折り曲げ形成によって基台１１の剛性を向上させることができる。
【００１６】
また、マウントアングル１を２本の第１取付レール部１５に取り付け、また第１取付レール部１５を２本の第２取付レール部２０に取り付けたので、マウントアングル１を安定した状態で移動させることができると共にマウントアングル１を取付位置に安定させることができる。
【００１７】
図３はマウントアングルの取付構造の第２実施形態を示すものである。第１実施形態と同様に、第２取付レール部３０は、基台１１背面の左右側辺部を内側に折り曲げることによって上下方向に伸びる等幅帯状に形成され、レール取付孔３１が同方向に連設されている。レール取付孔３１は、その孔形状がレール取付孔３１の連設方向である上下方向に伸びた長円形状に形成されている。同様に、第１取付レール部２５は、左右方向に長尺に形成された棒体部２４とその棒体部２４の両端に設けられた取付小板２７とから構成されている。棒体部２４にはアングル取付孔２６が同方向に連設されている。アングル取付孔２６は、その孔形状がアングル取付孔２６の連設方向である左右方向に伸びた長円形状に形成されている。また取付小板２７は、第２取付レール部３０への取付状態において、その帯内側に接触するように形成されている。尚、このアングル取付孔２６及びレール取付孔３１には、第１実施形態と異なり、雌ネジは刻設されておらず、取付小板２７の取付孔２８内周面には、雌ネジが刻設されている。その他の構成は、第１実施形態と同様である。
【００１８】
この構成のマウントアングルの取付構造において、第１取付レール部２５は、両端に設けられた取付小板２７を第２取付レール部３０の帯内面に接触させ、レール取付孔３１に通したネジ１９を取付孔２８に螺合させることによって第２取付レール部３０に取り付けられる。また、マウントアングル１は、その取付片部３に設けた取付孔２と第１取付レール部２５のアングル取付孔２６とにネジ１９を通し、アングル取付孔２６の裏側に配置したスライドナット（図示略）に螺合させることによって第１取付レール部２５に取り付けられる。この取付構造によれば、ネジ１９を緩めるだけで、マウントアングル１を上下左右方向に移動させることが可能となる。また、長円形状の長軸長さを移動可能範囲として、その間を無段階に移動でき、任意の取付位置でマウントアングル１を取り付けることができる。その他の作用効果は第１実施形態と同様である。
【００１９】
尚、本発明は上記実施形態に限定されるものではなく、以下に例示するように、本発明の趣旨を逸脱しない範囲で各部の形状並びに構成を適宜に変更して実施することも可能である。
（１）第２取付レール部２０，３０のレール取付孔２１，３１を左右方向に連設し、第１取付レール部１５，２５のアングル取付孔１６，２６を上下方向に連設すること。
（２）アングル取付孔１６とレール取付孔２１との内、何れか一方の孔形状を、夫々の連設方向に伸びた長円形状に形成すること。こうすれば、一方向の移動を孔ピッチ毎の段階的に、また、他方向の移動を任意の無段階的に行うことができる。よって、一方向にのみ任意の取付位置への移動が必要な場合に、方向毎に過不足のない適正な取付位置調整を行うことが可能となる。
（３）マウントアングル１及び収納ボックス１２を、ＪＩＳ等の他規格や任意の寸法形状で構成すること。
（４）第２取付レール部２０，３０を、独立した単独部品として形成し基台１１に設けること。
（５）第１取付レール部１５，１６の棒体部１４，２４の断面を円形、円弧形、楕円形、多角形等に形成すること。
【００２０】
【発明の効果】
以上詳述したように、請求項１の発明によれば、スタッドボルト等の別体の取付部品が不要となり、溶接等の煩雑な固着手段を実施する必要がなくなる。よって、部品点数を減らして部品コストを抑えると共に固着手段の手間を省いて製造工程を簡素化することができる。また、マウントアングルの移動可能範囲を収納ボックス内全域に広げることが可能となる。
【００２１】
請求項２の発明によれば、ネジを緩めるだけの簡単な操作で、マウントアングルを上下左右方向に移動させることが可能となる。
【図面の簡単な説明】
【図１】本発明に係る第１実施形態を示す斜視説明図である。
【図２】マウントアングルの取付構造を示す分解斜視図である。
【図３】本発明に係る第２実施形態を示す要部斜視説明図である。
【図４】従来の取付構造を示す斜視図である。
【図５】従来の取付構造を示す斜視図である。
【符号の説明】
１・・マウントアングル、３・・取付片部、１０・・電子機器、１１・・基台、１２・・収納ボックス、１４，２４・・棒体部、１５，２５・・第１取付レール部、１６，２６・・アングル取付孔、１７，２７・・取付小板、２０，３０・・第２取付レール部、２１，３１・・レール取付孔。
【図１】
2004036734.tif 000003
【図２】
2004036734.tif 000004
【図３】
2004036734.tif 000005
【図４】
2004036734.tif 000006
【図５】
2004036734.tif 000007